(57)【要約】  【課題】  扉開放装置の制御回路を簡略化させるとともに、開扉時における突出力を適宜可変自在とする冷蔵庫を得る。  【解決手段】  本体貯蔵室１の前面開口部に開閉自在に設けた扉１０ｂと、電気的な駆動源によって押圧部材２１ｃを突き出して前記扉面を押圧し開扉する扉開放装置２０と、前記扉１０ｂもしくは本体外面側に設けられ、使用者により操作された状態で操作信号を出力する開扉スイッチスイッチ１２と、前記扉の開放状態で開放信号を出力する扉スイッチ１４と、前記開扉スイッチスイッチ１２および扉スイッチ１４からの各出力を受けるように設けられ、前記開放信号の非入力状態で前記操作信号が入力されたときに前記駆動源２１をデューティ制御する制御手段３７とを備えた。  【選択図】  図１
2005098548.tif 000002
【特許請求の範囲】
【請求項１】
本体貯蔵室の前面開口部に開閉自在に設けた扉と、駆動源に通されると押圧部材をバネの付勢力に抗して突き出し前記扉面を押圧して開扉する開扉装置と、この開扉装置を駆動させる開扉信号を使用者の操作により出力する開扉スイッチと、前記扉の開扉状態で信号を出力するドアスイッチと、前記開扉スイッチおよびドアスイッチからの各出力を受けるように設けられ、前記ドアスイッチの非入力状態で前記開扉信号が入力されたときに、所定電圧を駆動源に供給し押圧部材を突き出す制御手段とを備え、
この制御手段は、前記駆動源に通電して押圧部材を突き出した後であって、通電を遮断するとともに、または所定電圧より小さい電圧で通電しながら、バネの付勢力により押圧部材が引き込まれる際に、通電を遮断した場合には前記所定電圧以下の電圧、または所定電圧より小さい電圧で通電している場合には、前記押圧部材の引き込み中の通電電圧よりも大きな電圧で、一時的に通電することを特徴とする冷蔵庫。
【請求項２】
一時的な通電は、押圧部材の引き込み中に複数回行うことを特徴とする請求項１に記載の冷蔵庫。
【請求項３】
本体貯蔵室の前面開口部に開閉自在に設けた扉と、駆動源に通電されると押圧部材をバネの付勢力に抗して突き出し前記扉面を押圧して開扉する開扉装置と、この開扉装置を駆動させる開扉信号を使用者の操作により出力する開扉スイッチと、前記扉の開扉状態で信号を出力するドアスイッチと、前記開扉スイッチおよびドアスイッチからの各出力を受けるように設けられ、前記ドアスイッチの非入力状態で前記開扉信号が入力されたときに、所定電圧を駆動源に供給し押圧部材を突き出す制御手段とを備え、
この制御手段は、前記駆動源に通電して押圧部材を突き出した後であってバネの不勢力により押圧部材が引き込まれる際に、通電の遮断状態から、または所定電圧より小さい電圧で通電しながら、漸次当該通電電圧を増加させていくことを特徴とする冷蔵庫。
【発明の詳細な説明】
【技術分野】
【０００１】
本発明は、貯蔵室扉を押圧部材の突き出しによって扉を開放する開扉装置を備えた冷蔵庫に関する。
【背景技術】
【０００２】
近年、使用者の開扉スイッチ操作により本体側から押圧部材がバネの付勢力に抗して突出し、扉面を押圧して開扉する電磁ソレノイド式の開扉機構を備えた冷蔵庫が市場に供されており、扉の開放に負担を要しない商品として評価されている。
【０００３】
例えば、特許文献１の開扉機構の断面図を示す図１３を参照して説明する。全波整流回路を電源とした電磁ソレノイド１０３は開扉装置１０１の駆動源をなすもので、通電状態では、押圧部材１０２を開扉方向に突出させて扉を開放させる。
【０００４】
押圧部材１０２の後部には、押圧部材１０２を庫内側に引き戻す力を付勢する引込用スプリング１０４を取り付けており、押圧部材１０２が突出した際には、さらに後方にはバネよりなる押圧部材１０２の引き込み時の衝撃吸収用のストッパー１０５が設けられている。
【０００５】
これにより扉前面に設けられた図示しない開扉スイッチが操作されると電磁ソレノイド１０３に通電されて、初期位置から押圧部材が突出して扉を押圧し開扉するとともに、所定時間の通電終了後は、引込用スプリング１０４の付勢力により引き込まれ、ストッパー１０５と衝突して、引込用スプリング１０４とストッパー１０５のバネ力により初期位置に戻るようになっている。
【０００６】
一方、自動ドア装置の電気錠においても、電磁ソレノイドを利用したものが考えられている。例えば、特許文献２には、電磁ソレノイドを励磁または励磁解除することにより、バネの付勢力に抗してまたはバネの復帰力によってプランジャを進退させてドアに施錠する構成が開示されており、この場合、動作時に衝突音が生じるため、電磁ソレノイドの通電を解除する際に、印加電圧を除々に減少させていくことによって、衝突音を軽減するようになっている。
【特許文献１】特開２００１−５９６７５号公報
【特許文献２】特開２００２−１３８７２２号公報
【発明の開示】
【発明が解決しようとする課題】
【０００７】
しかしながら、上記した特許文献１の開扉装置１０１の構成では、押圧部材１０２の引き込み時に引込用スプリング１０４の付勢力によって、押圧部材１０２とストッパー１０５の衝突音が生じる。この衝突音は、日中など周囲に雑音が生じている状況では、特に気になることはないが、真夜中など周囲が静かな状況では、この衝突音が耳障りになる場合もあり、開扉装置１０１の動作音の低減が望まれている。
【０００８】
一方、電磁ソレノイドの衝突音低減のために、上記した特許文献２の制御方法も考えられているが、これでは、励磁解除した後に除々に電圧を下げていくため、プランジャーがゆっくりと引き込むことになり、迅速に初期位置に戻すことができないのである。すなわち、冷蔵庫のように頻繁に開閉されることが前提である開扉装置においては、押圧部材１０２の突出後に、次の開扉動作を行えるよう迅速に初期位置に復帰させることが必要であり、引き込み動作時間の短縮が望まれている。
【０００９】
本発明は上記問題を考慮してなしたものであり、押圧部材の引き込み時における衝突音の低減、および、引き込み動作を迅速に行うことができる開扉装置を備えた冷蔵庫を提供することを目的とする。
【課題を解決するための手段】
【００１０】
本発明は、本体貯蔵室の前面開口部に開閉自在に設けた扉と、駆動源に通電されると押圧部材をバネの付勢力に抗して突き出し前記扉面を押圧して開扉する開扉装置と、この開扉装置を駆動させる開扉信号を使用者の操作により出力する開扉スイッチと、前記扉の開扉状態で信号を出力するドアスイッチと、前記開扉スイッチおよびドアスイッチからの各出力を受けるように設けられ、前記ドアスイッチの非入力状態で前記開扉信号が入力されたときに、所定電圧を駆動源に供給し押圧部材を突き出す制御手段とを備え、この制御手段は、前記駆動源に通電して押圧部材を突き出した後に、通電を遮断または所定電圧より小さい電圧で通電しながらバネの付勢力により押圧部材が引き込まれる際に、通電を遮断した場合には前記所定電圧以下の電圧、または所定電圧より小さい電圧で通電している場合には前記押圧部材の引き込み中の通電電圧よりも大きな電圧で、一時的に通電することを特徴とする。
【００１１】
また、本発明は、本体貯蔵室の前面開口部に開閉自在に設けた扉と、駆動源に通電されると押圧部材をバネの付勢力に抗して突き出し前記扉面を押圧して開扉する開扉装置と、この開扉装置を駆動させる開扉信号を使用者の操作により出力する開扉スイッチと、前記扉の開扉状態で信号を出力するドアスイッチと、前記開扉スイッチおよびドアスイッチからの各出力を受けるように設けられ、前記ドアスイッチの非入力状態で前記開扉信号が入力されたときに、所定電圧を駆動源に供給し押圧部材を突き出す制御手段とを備え、この制御手段は、前記駆動源に通電して押圧部材を突き出した後に、通電を遮断、または所定電圧より小さい電圧で通電しながらバネの付勢力により押圧部材が引き込まれる際に、当該通電電圧を増加させていくことを特徴とする。
【発明の効果】
【００１２】
上記発明によれば、引き込み直後は通電を遮断または所定電圧よりも小さい電圧で通電しているため、バネの付勢力によって押圧部材が初期位置に向って進行し、迅速に押圧部材を引き込ませることができるとともに、例えばストッパーに衝突する直前など押圧部材の引き込み中には、一時的に駆動源に通電して突出方向への力を作用させることによって、押圧部材の引き込み速度を急激に減速させ、押圧部材とストッパーなどの衝突音、すなわち開扉装置の動作音を減少させることができる。
【００１３】
また、本発明によれば、引き込み直後は、通電を遮断または所定電圧よりも小さい電圧で通電しているため、バネの付勢力によって、迅速に押圧部材を引き込ませることができるとともに、押圧部材が引き込むにつれて通電電圧を増加させていくため、例えばストッパーなどとの衝突直前の押圧部材の引き込み速度を迅速に減速させ、押圧部材の衝突音、すなわち開扉装置の動作音を減少させることができる。
【発明を実施するための最良の形態】
【００１４】
図１，図２，図１０ないし図１２には本発明の第１実施例が示されており、以下これについて説明する。図１０及び図１１には、本実施例に係る冷蔵庫の正面図及び冷蔵室用扉を開放した状態での概略的な斜視図が示されている。これら図１０及び図１１において、周知構造の断熱箱体として構成された冷蔵庫本体１内には、冷蔵室２、野菜室３、製氷室４、内部温度を複数段階に切替可能な切替室５、冷凍室６を上から順に設け、製氷室４及び切替室５は左右に並んで配設している。
【００１５】
上記冷蔵室２の前面にはヒンジ開閉式の扉２ａを設け、野菜室３、製氷室４、切替室５及び冷凍室６の各前面には、それぞれの貯蔵容器（図示せず）に連結された引出式の扉３ａ、４ａ、５ａ及び６ａを設けている。冷蔵室２用の扉２ａの裏面側の周縁部には、マグネットガスケット２ｂを取り付けており、扉２ａは、そのマグネットガスケット２ｂが冷蔵庫本体１側に吸着することにより閉鎖状態に保持される構成となっている。また、図示しないが、他の扉３ａ、４ａ、５ａ及び６ａの裏面側の周縁部にもマグネットガスケットを取り付けている。  
冷蔵室２の開口周縁部には、ドアスイッチ３３を設けており、扉の開閉動作に応じ開扉状態で信号を後述する制御部３０に出力するようになっている。
【００１６】
冷蔵庫本体１の天井部には、冷蔵室２用の扉２ａに開放方向への力を作用させるための開扉装置７を取り付けている。この開扉装置７は、冷蔵庫の上部の断面構造を示す図１２に示すように、冷蔵庫本体１の天井部に形成された凹部１ａ内に半埋め込み状態で設置されるものであり、合成樹脂製のケース８内に駆動源として直流駆動される電磁ソレノイド９を収納した形態となっている。
【００１７】
この場合、上記ケース８は、前記凹部１ａ内に嵌め込まれる矩形容器状のベース８ａと、このベース８ａにこれを上方から覆うように装着されたカバー８ｂとから成るもので、このカバー８ｂは、冷蔵庫本体１の天井部から上方に突出している。ベース８ａは、複数箇所を冷蔵庫本体１の天井部にねじ１０止めすることにより固定されている。
【００１８】
上記電磁ソレノイド９は、円筒状に形成されたコイルを樹脂モールドしたコイルユニット１１と、このユニット内にこれを貫通した状態で軸方向に移動可能に設けられた磁性体製のプランジャ１４と、このプランジャ１４に対し同軸状に固定された非磁性金属より成るプッシュロッド１２とを主たる構成要素としたもので、コイルユニット１１のコイルに通電されると（以下、通電状態とする）でプランジャ１４及びプッシュロッド１２が扉２ａ方向（図１２中の矢印Ａ方向）へ付勢される構成となっている。なお、上記プランジャ１４とプッシュロッド１２は一体に動作するように固定されており、該一体物を押圧部材１３と称する。
【００１９】
プランジャ１４の一端部（矢印Ａと反対方向の端部）には矢印Ａ方向への抜外れを防止するための例えばＣリングよりなる鍔部１４ａを設けており、当該プランジャ１４の周りには、上記鍔部１４ａ及びコイルユニット１１間で伸長力を作用させるようにして圧縮コイルばねより成る引込用スプリング１５を設けている。
【００２０】
冷蔵室２用の扉２ａの上縁部には、前記プッシュロッド１２の先端部が当接する受け具１７を一体的に設けており、前記電磁ソレノイド９に通電されて押圧部材１３が矢印Ａ方向へ付勢されたときには、上記受け具１７がプッシュロッド１２によって押圧され、これに応じて扉２ａがマグネットガスケット２ｂの吸着力に抗して開放される構成となっている。
【００２１】
この場合、プッシュロッド１２の先端部には、緩衝部材としてゴム製のキャップ１２ａを取り付け、受け具１７にも、プッシュロッド１２の先端部にて押圧される部分に、緩衝部材としてゴム製の当て板１７ａを取り付けている。
【００２２】
また、開扉装置７のケース８内には、プランジャ１４の鍔部１４ａ側の端面を前記引込用スプリング１５に抗して矢印Ａ方向に付勢するようにして捩じりコイルばねより成るストッパー１８を設けており、扉２ａが閉鎖された定常状態では、引込用スプリング１５よりもストッパー１８の付勢力が勝って、プッシュロッド１２の先端が受け具１７に当接する構成となっている。なお、上記ストッパー１８の付勢力は、当然のことながらマグネットガスケット２ｂの吸着力より小さいレベルに設定されるものである。
【００２３】
冷蔵室２用の扉２ａの前面部には、図１０に示すように、表示パネル１９及び開扉スイッチ２０が上下に並んだ状態で設けられおり、開扉スイッチ２０は、引張操作されたとき並びに押圧操作されたとき際には、コイルユニット１１に通電して開扉動作させる開扉信号を制御部３０に出力するスイッチが内蔵されている。
【００２４】
この場合、冷蔵室扉２ａが閉扉状態、具体的にはドアスイッチ３３が非入力状態で、上記開扉信号がマイコンよりなる制御部３０に入力されると、タイマ回路３１を介して所定時間、例えば０．５秒だけコイルユニットに所定電圧（例えば、２８０ｖ）を通電する構成となっており、制御部は、スイッチング素子によりデューティ制御して供給する電圧を可変できるようになっている。
【００２５】
次に、本実施例の作用について図１，図４ないし図８を参照して説明する。  
冷蔵室２の扉２ａが閉鎖された状態では、図４に示すように、マグネットガスケット２ｂが冷蔵庫本体１の前面部に吸着しており、この吸着により閉鎖状態が保持されている。
【００２６】
この閉鎖状態では、開扉装置７の電磁ソレノイド９は断電されており、押圧部材１３の先端部のキャップ１３ａ´が、扉２ａ側の受け具１７に対して当接している。  
このような扉２ａの閉鎖状態（ドアスイッチ３３の非入力状態）から、扉２ａを開放させるために開扉スイッチ２０が操作されて開扉信号を出力すると、制御部３０は、タイマ回路３１を介して約０．５秒間だけ所定電圧で、開扉装置７の電磁ソレノイド９が通電駆動されるようになる。すると、電磁ソレノイド９の押圧部材１３が、引込用スプリング１５のばね力に抗して矢印Ａ方向へ瞬時に移動されるため、扉２ａに設けられた受け具１７が押圧部材１３によって押圧されてマグネットガスケット２ｂが冷蔵庫本体１から引き剥がされるようになり、これに応じて扉２ａが開放されるようになる。開扉後は、図５に示すように、引込用スプリング１５が上記鍔部１４ａ及びコイルユニット１１間で圧縮され、このバネ力によって引込側に付勢されるが、通電中は電磁ソレノイド９の突出力が勝っているため、押圧部材１３が突出した状態で停止している。
【００２７】
図１は、上記開扉後の通電状態から通電が遮断されて押圧部材１３が停止するまでの電磁ソレノイド９へのデューティ値(電圧)、電磁ソレノイド９の突出力と引込用スプリング１５およびストッパー１８のバネ力の引込側への合力、押圧部材１３の引込側への速度を示したものである。以下、この図１を参照して説明する。
【００２８】
開扉後から所定時間ｔ１を経過するまでは、電磁ソレノイド９のデューティ値は１００％（通電電圧２８０ｖ）の所定電圧で出力しているため、合力は突出方向に対して最大であり、また、押圧部材１３が突出した状態で停止しているため、速度はゼロである。
【００２９】
所定時間ｔ１経過後は、次の開扉動作を行うために電磁ソレノイド９の通電を遮断して押圧部材１３を初期位置へ戻す。この場合、押圧部材１３に作用している力は引込用スプリング１５のバネ力のみであるため、初期位置方向へ瞬時に引き込むようになる。なお、ここでいう初期位置とは、図８に示すように引込用スプリング１５とストッパー１８のバネ力がつり合い押圧部材１３が停止状態となる位置をいう。
【００３０】
一方、押圧部材１３が引き込まれていくと、押圧部材１３とコイルユニット１１との摩擦や、圧縮されていた引込用スプリング１５が開放されていくことによりバネ力が弱まっていくため、押圧部材１３の引込速度も弱まっていくが、それでも押圧部材１３とストッパー１８との衝突のタイミングｔ４においても、ほとんど減速しないため衝突音が大きくなる。
【００３１】
そこで、本発明では、図１、図６に示すように押圧部材１３とストッパー１８との衝突の直前のタイミングｔ２において、一時的に電磁ソレノイド９に通電することにより引込速度を急激に減速させる。
【００３２】
具体的には、制御部３０のタイマ回路３１を介してタイミングｔ２を経過した後の引き込み速度が、例えば３〜５ｍｓのｔ２-ｔ３間において、パルス状の所定電圧を供給するようになっている。これにより、瞬間的に引き込み方向とは逆の方向に付勢力が働くため、ブレーキがかかったような状態となり、ストッパー１８との衝突直前のタイミングｔ３で急激に引込速度を減速させる。
【００３３】
なお本実施例では、タイミングｔ３においての引込速度がゼロになるように設定しているが、衝突音が軽減できれば、引込速度または逆方向への速度が発生してもよい。また、タイミングｔ２は予め実験などにより通電遮断後から押圧部材１３とストッパー１８が衝突するまでの時間を計測しておいたもので、本実施例では、通電遮断後から８０ｍｓ経過したタイミングとしている。
【００３４】
さて、一時的に電磁ソレノイド９に通電し終えたタイミングｔ３後においても、バネ力により速度が発生するが、この速度は、初期速度がほとんど無い状態での速度であるため小さく、図１，図７に示すように押圧部材１３がストッパー１８と衝突するタイミングｔ４においても、ゆっくりと当接することになり、突音も軽減させることができるのである。
【００３５】
当接後は、ストッパー１８の付勢力が加わり、さらに減速してタイミングｔ５において、図８に示すように初期位置に戻るようになっている。
【００３６】
上記した構成によれば、押圧部材１３とストッパー１８との衝突前に、電磁ソレノイド９に通電して突出方向への力を作用させることにより、引込速度を急激に減速させるため、両者の衝突音を軽減させることができるとともに、突出方向への作用は一時的であるため、引き込み直後などの引込速度を限りなく減速させることができる。
【００３７】
なお、本実施例の説明では、ストッパー１８をバネとして説明したが、これに限らず、押圧部材１３の後壁などの剛体であれば、さらに衝突音の減少化の効果を発揮する。
【００３８】
例えば、図９に示すようにバネ力との関係により、引き込み時にストッパー１８を介して後壁８ｃと衝突して初期位置に戻るように設計されている場合には、この後壁８ｃが実質的にストッパーとしての役割を果たすのである。この場合、バネのような弾性体と衝突する場合と比べ固定されている後壁８ｃとの衝突力は大きいことから、当然衝突音も大きくなる。したがって、本発明の構成によれば、衝突力が大きければ大きいほど衝突の直前に引き込み速度をゼロにすることができるため、衝突音の軽減を効果的に行うことができる。
【００３９】
また、鍔部１４ａの後部８ｃに衝撃吸収材１４ｂを取付け、ストッパー１８と押圧部材１３との衝突音は減少させる構成も考えられるが、本発明によればこのような別物品を設けなくても衝突音を軽減することができる。当然に、衝撃吸収材を取り付ければ、さらに衝突音の軽減化の効果を向上させることができることはいうまでもない。
【００４０】
一方、一時的に電圧を供給する通電方法は、デューティ制御で行う構成で説明したが、本実施例のように１００％通電で行う場合には、デューティ制御でなくともスイッチング電源を用いてもよく、また、一時的な通電時にデューティ値を変更させるなどしてもよい。
【００４１】
さらに、引き込み開始時は、通電を遮断する構成で説明したが、バネ力が強い場合には、迅速に初期位置に戻すことができれば、所定電圧よりも小さい電圧、例えば、デューティ値を１０％で駆動しながら、押圧部材１３を引き込ませてもよい。
【００４２】
次に、引き込み時の通電方法を変更した第２の実施例について説明する。なお、実施例１と重複する構成はその説明を省略する。  
本実施例は、押圧部材１３の引き込み時における一時的な通電を複数回行う構成である。図２に示すように、ｔ１のタイミングで引き込みを開始された後に、ｔａ２とｔｂ２のタイミングでそれぞれ一時的に通電を行う。
【００４３】
この場合、ｔａ２のタイミング、例えばタイマ回路３１によりｔ１のタイミングから４０ｍｓ経過した時点で、所定電圧以下、本実施例では８０％のデューティ値で一時的に通電することにより、ストッパー１８と衝突する中間位置において、一端速度を減速させる。そして、ｔｂ２のタイミング、例えばタイマ回路によりｔ１のタイミングから６０ｍｓ経過した時点で、所定電圧以下、本実施例では５０％のデューティ値で一時的に通電して、押圧部材１３の引込速度をゼロにするようになっている。最初の一時的な通電は、通電が遮断された直後において、迅速に引き込みをさせることができるように、押圧部材１３が突出された状態位置と引込用スプリング１５との衝突位置間の中間位置以降にすることが好ましい。
【００４４】
このような構成によれば、複数回に亙って突出方向への力を作用させるので、引込用スプリングのバネ力が強い場合であっても、それぞれのタイミングにおいて減速させることができるため、確実に衝突前の速度を減速させることができる。また、それぞれの通電箇所のみで減速させるため、総合的に引き込み時間を短縮することができる。なお、一時的な通電回数やデューティ値は、バネ力に応じて適宜変更することが好ましい。
【００４５】
次に、引き込み時の通電方法を変更した第３の実施例について説明する。なお、実施例１と重複する構成はその説明を省略する。  
本実施例は、バネの付勢力により、押圧部材１３が引き込まれる際に、通電電圧を増加させていく構成である。図３に示すように、ｔ１のタイミングで引き込み開始と同時に、所定電圧より小さい電圧、本実施例ではデューティ値を１０％で駆動して、電磁ソレノイド９に当該電圧を供給する。ここでの通電電圧は小さく電磁ソレノイド９の突出力よりバネの付勢力の方が勝っているため、押圧部材１３は引き込まれていく。
【００４６】
この場合、制御部３０によりデューティ値を除々に増加、すなわち通電電圧を増加させていくため、突出方向への力の作用が強まり、引込速度は除々に減速されていく。そして、押圧部材１３とストッパー１８との衝突直前のタイミングｔ３においては、上記実施例で説明した様に、引込速度をほぼゼロとなるように設計されており、衝突速度を小さくしている。
【００４７】
このような構成によれば、例えバネ力が大きくとも、除々に電磁ソレノイド９に供給される電圧を大きくしていくため、引き込み直後においては迅速に引き込ませることができるとともに、除々に引き込み速度を減速させることができるため、確実に衝突直前の引き込み速度を小さくして衝突音を軽減することができる。
【００４８】
なお、本実施例の説明では、引き込み開始直後から、小さいデューティ値で電圧を供給する構成で説明したが、これに限られず、通電電圧を遮断した状態から通電電圧の増加を行ってもよく、また、通電遮断した状態を一定時間、例えば２０ｍｓ経過したタイミングからデューティ値を除々に増加させていくようにしてもよい。
【産業上の利用可能性】
【００４９】
上述したように、本発明によれば、押圧部材の引き込み時における衝突音の低減、および、引き込み動作を迅速に行うことができるため、開扉装置を備えた種々の冷蔵庫に適応可能である。
【図面の簡単な説明】
【００５０】
【図１】本発明の実施例１の制御方法を示すタイムチャートである。
【図２】本発明の実施例２の制御方法を示すタイムチャートである。
【図３】本発明の実施例３の制御方法を示すタイムチャートである。
【図４】本発明の開扉装置の閉扉された状態を示す上面図である。
【図５】図４の押圧部材が突出された状態を示す上面図である。
【図６】図４の押圧部材がストッパーと衝突する直前を示す上面図である。
【図７】図４の押圧部材がストッパーと衝突した状態を示す上面図である。
【図８】図４の押圧部材の初期位置を示す上面図である。
【図９】押圧部材が後壁と衝突した状態を示す上面図である。
【図１０】本発明の冷蔵庫を示す正面図である。
【図１１】図１０の冷蔵室扉を開扉した状態を示す斜視図である。
【図１２】本発明の開扉装置を示す縦断面図である。
【図１３】従来の開扉装置を示す上面図である。
【符号の説明】
【００５１】
１…冷蔵庫本体            ２…冷蔵室              ２ａ…冷蔵室扉
７…開扉装置              ８…ケース              ８ｃ…後壁
９…電磁ソレノイド        １１…コイルユニット    １２…プッシュロッド
１３…押圧部材            １４…プランジャー      １５…引込用スプリング
３０…制御部              ３３…ドアスイッチ
【図１】
2005098548.tif 000003
【図２】
2005098548.tif 000004
【図３】
2005098548.tif 000005
【図４】
2005098548.tif 000006
【図５】
2005098548.tif 000007
【図６】
2005098548.tif 000008
【図７】
2005098548.tif 000009
【図８】
2005098548.tif 000010
【図９】
2005098548.tif 000011
【図１０】
2005098548.tif 000012
【図１１】
2005098548.tif 000013
【図１２】
2005098548.tif 000014
【図１３】
2005098548.tif 000015